(57)【要約】【課題】  音量もしくは音質の自動調節制御を行い、広告映像、広告音声の再生を設置場所の環境に応じて効果的に行う自動撮像装置を提供する。【解決手段】  自動撮像装置１００は、記憶媒体７０、記憶部１０２に記憶されたコンテンツデータ、もしくは、ネットワーク３００経由でセンタ装置２００から配信されるコンテンツの音声、映像を出力する音声出力部３０、画像表示部２０を具備し、特に、制御部１０１は、音声出力部３０における出力音量、音質を、記憶部１０２に記憶された設定パラメータによって、曜日、時間帯毎に設定された音量、音質に調節すべく制御信号を生成して音声出力制御部１１４に出力する。また、制御部１０１は、設置場所付近のヒトの存在を監視カメラ５１、ヒトセンサ５２、周囲音センサ５３等により監視し、ヒトを検知したセンサ毎の設定パラメータによって音量、音質を所定の時間にて一次的に変更する調節制御を行う。【選択図】  図３
2005300754.tif 000002
【特許請求の範囲】
【請求項１】
被写体を撮像手段で撮像し、該撮像手段で撮像した画像を印刷出力する自動撮像装置において、
前記情報サービス機関に関する広告情報を含む画像を表示する画像表示手段と、
前記画像表示手段に表示される画像に関連して音声を発生する音声発生手段と、
前記音声発生手段で発生される音声の音量もしくは音質を環境状態に応じて自動調節する音調節手段と
を具備することを特徴とする自動撮像装置。
【請求項２】
前記画像表示手段は、
前記情報サービス機関に関する広告情報に対応する画像を含む一連の画像を繰り返し表示する
ことを特徴とする請求項１記載の自動撮像装置。
【請求項３】
前記情報サービス機関に関する広告情報を含む画像を外部から取得する画像取得手段
を更に具備し、
前記画像表示手段は、
前記画像取得手段により取得した前記情報サービス機関に関する広告情報を含む画像を表示する
ことを特徴とする請求項１または２記載の自動撮像装置。
【請求項４】
前記音調節手段は、
時間帯若しくは日付けに応じて前記音声発生手段で発生される音声の音量もしくは音質を自動調節する
ことを特徴とする請求項１乃至３のいずれかに記載の自動撮像装置。
【請求項５】
周囲音を検出する周囲音検出手段
を更に具備し、
前記音調節手段は、
前記周囲音検出手段で検出された周囲音の音量レベルに対応して前記音声発生手段で発生される音声の音量もしくは音質を自動調節する
ことを特徴とする請求項１乃至３のいずれかに記載の自動撮像装置。
【請求項６】
周囲の人の存在を検出する周囲検出手段
を更に具備し、
前記音調節手段は、
前記周囲検出手段で検出された周囲の人の存在に対応して前記音声発生手段で発生される音声の音量もしくは音質を自動調節する
ことを特徴とする請求項１乃至３のいずれかに記載の自動撮像装置。
【請求項７】
前記撮像手段による撮像の音声案内を行う音声案内手段
を更に具備し、
前記音調節手段は、
前記音声案内手段の動作状態に対応して前記音声発生手段で発生される音声の音量もしくは音質を自動調節する
ことを特徴とする請求項１乃至３のいずれかに記載の自動撮像装置。
【請求項８】
前記音調節手段は、
ユーザ操作に対応して前記音声発生手段で発生される音声の音量もしくは音質を調節する手段
を更に具備することを特徴とする請求項１乃至３のいずれかに記載の自動撮像装置。
【請求項９】
前記音調節手段は、
前記音声発生手段で発生される音声の特定の周波数帯の音量もしくは音質を選択的に自動調節する
ことを特徴とする請求項１乃至８のいずれかに記載の自動撮像装置。
【請求項１０】
前記音調節手段は、
前記音声発生手段で発生される音声の音量もしくは音質を環境状態に応じて自動変更する自動音量音質変更手段と
前記音量音質変更手段で変更した前記音声発生手段で発生される音声の音量もしくは音質を初期状態に自動復帰させる音量音質自動復帰制御手段と
を具備することを特徴とする請求項５乃至９のいずれかに記載の自動撮像装置。
【請求項１１】
前記音量音質自動復帰制御手段は、
前記自動音量音質変更手段により前記音声発生手段で発生される音声の音量もしくは音質を変更してから所定の時間を経過したことを条件に前記音量音質変更手段で変更した前記音声発生手段で発生される音声の音量を初期状態に自動復帰させる
ことを特徴とする請求項１０記載の自動撮像装置。
【請求項１２】
前記音量音質自動復帰制御手段は、
前記画像表示手段で表示される画像の１サイクルが終了したことを条件に前記音量音質変更手段で変更した前記音声発生手段で発生される音声の音量もしくは音質を初期状態に自動復帰させる
ことを特徴とする請求項１０記載の自動撮像装置。
【請求項１３】
前記音調節手段は、
外部からの遠隔指示により前記音声発生手段で発生される音声の音量もしくは音質を自動調節する
ことを特徴とする請求項１乃至１２記載の自動撮像装置。
【請求項１４】
情報サービス機関の発行物を頒布する発行物頒布手段
を更に具備し、
前記画像表示手段は、
前記発行物頒布手段による発行物のユーザによる発行操作を促す画像を含む一連の画像を繰り返し表示する
ことを特徴とする請求項１乃至１３記載の自動撮像装置。
【発明の詳細な説明】
【技術分野】
【０００１】
本発明は、撮像手段で撮像した被写体の画像を印刷出力し、広告情報を含む画像および音声を再生する手段を具備する自動撮像装置に関し、特に、自動撮像装置が設置された環境の状態に応じて前記音声の音量もしくは音質を自動調節する技術に関する。
【背景技術】
【０００２】
従来の広告表示を行う自動販売機に関する技術として、特許文献１記載の「映像広告を表示する自動販売機」がある。
【０００３】
この特許文献１の発明は、音声出力部、画像表示部を設けた自動販売機であり、購入ボタン押下時に販売する商品の広告を音声および画像にて行い、商品の割引販売を行うものである。
【０００４】
また、従来の自動販売機に関する別の技術として、特許文献２に記載の「自動販売機表示システム」がある。
【０００５】
この特許文献２の発明は、販売される商品の商品名、価格などを表示する表示部を設た構成を有する。
【０００６】
また、自動販売機に関する別の技術として特許文献３に記載の「自動販売機」がある。  この特許文献３の発明は、自動販売機の商品の内容説明を音声や映像にて行うものである。
【特許文献１】特開２００２−１５０３６７。
【特許文献２】特開平１１―２４２７３３。
【特許文献３】特開平０６−１５０１２７。
【発明の開示】
【発明が解決しようとする課題】
【０００７】
最近の自動撮像装置は、販売商品の広告以外に、設置場所の提供条件を緩和する目的で、設置場所提供者が要望する広告用ポスタ等を掲載する等、販売商品以外の広告を行う装置がある。
【０００８】
上記特許文献１に記載された発明は、広告宣伝を行う条件が、商品の購入を前提としているので、商品を購入しない不特定多数の消費者に対しては、商品の広告を行うことができないといった問題が生じた。
【０００９】
また、上記特許文献２に記載された発明は、自動販売機の表示部における表示内容を変更することによって、価格変更時の値札の書換え等の手間を省くことを目的とするものであり、広告用の画像等は表示することができないといった問題が生じた。
【００１０】
また、特許文献３に記載された発明は、広告用の音声、映像を再生する際に、時間帯や、設置場所の環境に応じたきめ細かな制御ができないといった問題が生じた。
【００１１】
そこで、この発明は、設置場所提供者等から提示された設置条件、あるいは、環境の変化および予め設定されたスケジュールに応じて音声の音量、音質の自動調節を行うことができる自動撮像装置を提供することを目的とする。
【課題を解決するための手段】
【００１２】
上記目的を達成するために、請求項１の発明は、被写体を撮像手段で撮像し、撮像手段で撮像した画像を印刷出力する自動撮像装置において、情報サービス機関に関する広告情報を含む画像を表示する画像表示手段と、画像表示手段に表示される画像に関連して音声を発生する音声発生手段と、音声発生手段で発生される音声の音量もしくは音質を環境状態に応じて自動調節する音調節手段とを具備することを特徴とする。
【００１３】
また、請求項２の発明は、請求項１の発明において、画像表示手段は、情報サービス機関に関する広告情報に対応する画像を含む一連の画像を繰り返し表示することを特徴とする。
【００１４】
また、請求項３の発明は、請求項１または請求項２の発明において、情報サービス機関に関する広告情報を含む画像を外部から取得する画像取得手段を更に具備し、画像表示手段は、画像取得手段により取得した情報サービス機関に関する広告情報を含む画像を表示することを特徴とする。
【００１５】
また、請求項４の発明は、請求項１乃至請求項３のいずれかの発明において、音調節手段は、時間帯若しくは日付けに応じて音声発生手段で発生される音声の音量もしくは音質を自動調節することを特徴とする。
【００１６】
また、請求項５の発明は、請求項１乃至請求項３のいずれかの発明において、周囲音を検出する周囲音検出手段を更に具備し、音調節手段は、周囲音検出手段で検出された周囲音の音量レベルに対応して音声発生手段で発生される音声の音量もしくは音質を自動調節することを特徴とする。
【００１７】
また、請求項６の発明は、請求項１乃至請求項３のいずれかの発明において、周囲の人の存在を検出する周囲検出手段を更に具備し、音調節手段は、周囲検出手段で検出された周囲の人の存在に対応して音声発生手段で発生される音声の音量もしくは音質を自動調節することを特徴とする。
【００１８】
また、請求項７の発明は、請求項１乃至３のいずれかの発明において、撮像手段による撮像の音声案内を行う音声案内手段を更に具備し、音調節手段は、音声案内手段の動作状態に対応して音声発生手段で発生される音声の音量もしくは音質を自動調節することを特徴とする。
【００１９】
また、請求項８の発明は、請求項１乃至請求項３のいずれかの発明において、音調節手段は、ユーザ操作に対応して音声発生手段で発生される音声の音量もしくは音質を調節する手段を更に具備することを特徴とする。
【００２０】
また、請求項９の発明は、請求項１乃至請求項８のいずれかの発明において、音調節手段は、音声発生手段で発生される音声の特定の周波数帯の音量もしくは音質を選択的に自動調節することを特徴とする。
【００２１】
また、請求項１０の発明は、音調節手段は、音声発生手段で発生される音声の音量もしくは音質を環境状態に応じて自動変更する自動音量音質変更手段と音量音質変更手段で変更した音声発生手段で発生される音声の音量もしくは音質を初期状態に自動復帰させる音量音質自動復帰制御手段とを具備することを特徴とする。
【００２２】
また、請求項１１の発明は、請求項５乃至請求項９のいずれかの発明において、音量音質自動復帰制御手段は、自動音量音質変更手段により音声発生手段で発生される音声の音量もしくは音質を変更してから所定の時間を経過したことを条件に音量音質変更手段で変更した音声発生手段で発生される音声の音量もしくは音質を初期状態に自動復帰させることを特徴とする。
【００２３】
また、請求項１２の発明は、請求項１０の発明において、音量音質自動復帰制御手段は、画像表示手段で表示される画像の１サイクルが終了したことを条件に音量音質変更手段で変更した音声発生手段で発生される音声の音量もしくは音質を初期状態に自動復帰させることを特徴とする。  また、請求項１３の発明は、請求項１乃至請求項１２のいずれかの発明において、音調節手段は、外部からの遠隔指示により音声発生手段で発生される音声の音量もしくは音質を自動調節することを特徴とする。
【００２４】
また、請求項１４の発明は、請求項１乃至１３記載のいずれかの発明において、情報サービス機関の発行物を頒布する発行物頒布手段を更に具備し、画像表示手段は、発行物頒布手段による発行物のユーザによる発行操作を促す画像を含む一連の画像を繰り返し表示することを特徴とする。
【発明の効果】
【００２５】
本発明の自動撮像装置を適用することにより、設置場所の状況、時間帯別に設定された設定パラメータに応じて音声の音量もしくは音質を自動調節することができるので、訴求効果の高い広告機能と、騒音対策機能を兼ね備えた自動撮像装置を提供することができる。
【発明を実施するための最良の形態】
【００２６】
本発明の自動撮像装置の実施の形態について、添付図面を参照しながら詳細に説明する。
【００２７】
図１は、自動撮像装置の外部の構成を示した外観図である。
【００２８】
図１において、自動撮像装置１００は、駅構内、店舗等に設置され、証明写真をユーザの操作により自動撮像する装置である。
【００２９】
また、自動撮像装置１００は、写真の自動撮像および撮像した写真の自動販売を行う以外に、自動撮像装置１００の設置場所提供者等からの依頼により、広告用のポスターを掲載するためのポスタ掲載部２１、販売促進用の冊子あるいは申し込み書等の発行物２３を収容してユーザが一部ずつ取り出して頒布することが可能な発行物頒布部２２、広告画像、発行物頒布部２２の取り出しを指示する画像を含む映像を出力する画像表示部２０、画像表示部２０に出力される映像に付帯する音声、誘導用の音声等を出力する音声出力部３０（スピーカ（Ｌ）３１、スピーカ（Ｒ）３２、スーパーウーハ３３）を具備する。
【００３０】
また、音声出力部３０から出力される音声の音量、音質は、設置場所に係わる騒音規制、曜日や営業時間帯を考慮した設定パラメータに基づいて自動的に調整される機能を具備する。
【００３１】
また、自動撮像装置１００は、自動撮像装置１００が面する人通りがある通路、自動撮像装置１００の入り口付近、自動撮像装置１００内部の撮像空間内におけるヒトの進入、退去を検知する赤外線センサ等によるヒトセンサ５２、ＤＳＣ（Ｄｉｇｉｔａｌ  Ｓｔｉｌｌ  Ｃａｍｅｒａ）、ＤＶＣ（Ｄｉｇｉｔａｌ  Ｖｉｄｅｏ  Ｃａｍｅｒａ）等の監視カメラ５１等をさらに具備し、監視領域におけるヒトの存在の検知に連動して音声出力部３０から出力される音量もくは音質の自動調節制御を行う。
【００３２】
これにより、広告機能の消費者に対する訴求性を高め、広告する商品もしくはサービスに対する消費者の購買意欲をあおることができる。
【００３３】
図２は、図１に示した複数台の自動撮像装置１００と、センタ装置２００がネットワーク３００に接続され、センタ装置２００によって、ネットワーク３００経由で各自動撮像装置１００に対する監視制御が行われる例を概略的に示した接続構成図である。
【００３４】
図２において、センタ装置２００は、自動撮像装置１００に広告用として再生させる画像、音声のコンテンツデータ、設置場所毎の運用形態に基づいて分割設定された各時間帯の開始時刻等を含むスケジュールデータ、音量、音質の自動調節を時間帯毎に行うための各種設定パラメータ等を自動撮像装置１００に送信するデータ配信機能、各自動撮像装置１００に設置された監視カメラ５１による監視画像を自動撮像装置１００から受信して各設定場所の状態を遠隔監視する遠隔監視機能を有する。
【００３５】
次に、図１および図２に示した自動撮像装置１００の制御構成について説明する。
【００３６】
図３は、自動撮像装置１００に接続される周辺器機および制御構成を示したブロック図である。
【００３７】
図３において、自動撮像装置１００は、自動撮像装置１００全体を統括して制御する制御部１０１に対し、記憶部１０２、無線通信制御部１０３、ネットワーク制御部１０４、センサ接続インタフェース１０５、ボタン操作検出部１０６、記憶媒体読み取り部１０７、課金制御部１０８、撮像制御部１０９、コンテンツ再生部１１０、画像再生部１１１、音声再生部１１２、画像出力制御部１１３、音声出力制御部１１４、音量調節部１１５、音質調節部１１６、印刷制御部１１７、照明制御部１１８がそれぞれ接続して構成される。
【００３８】
記憶部１０２は、処理データ、ロードされたプログラムを一次的に記憶する揮発性のメモリデバイスと、制御用パラメータ、制御プログラム等を記憶する不揮発性のメモリデバイス、ネットワーク３００経由で受信したコンテンツを記憶するハードディスク等により構成される。
【００３９】
また、記憶部１０２は、自動撮像装置１００にて再生する音声、画像のデータ、営業時間帯、曜日等を特定するためのスケジュールデータ、カレンダ情報、再生するコンテンツの識別情報や再生のサイクル、音声の出力レベルを決定する設定パラメータを不揮発性のメモリデバイス、あるいはハードディスク等に記憶して管理する。
【００４０】
無線通信制御部１０３は、近距離無線通信、衛星通信、無線ＬＡＮ等、無線通信によって、再生するコンテンツを自動撮像装置１００が外部から取得するためのデータ通信制御を行う。
【００４１】
ネットワーク制御部１０４は、コンテンツデータ、設定パラメータのセンタ装置２００からの受信制御、監視カメラ５１が撮影した監視画像の送信制御等、ネットワーク３００を介したデータ通信を制御する。
【００４２】
センサ接続インタフェース１０５は、監視カメラ５１、赤外線センサ等によりヒトを検知するヒトセンサ５２、マイクにより周辺の騒音を感知する周囲音センサ５３等の接続インタフェースであり、接続器機が検出したデータ、信号を受信して制御部１０１に出力する制御を行う。
【００４３】
ボタン操作検出部１０６は、音量調節ボタン６０の操作を検出し、操作内容を制御部１０１に出力する。
【００４４】
記憶媒体読み取り部１０７は、ＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｃ）等の記憶媒体に記録されたデータの読み取り処理を行う。
【００４５】
課金制御部１０８は、販売する商品の代金として料金投入口８０から投入される硬貨、紙幣の識別制御、投入された貨幣の収容制御、返却口（図示せず）に対するつり銭の払い出し、あるいは、硬貨、紙幣の返却制御を行う。
【００４６】
撮像制御部１０９は、撮像用カメラ８１のシャッタ制御、フラッシュ（図示せず）の点燈制御、操作案内、撮像データの変換処理等、証明写真を撮像する各種制御を行う。
【００４７】
コンテンツ再生部１１０は、記憶媒体読み取り部１０７、無線通信制御部１０３、ネットワーク制御部１０４によって取り込まれたコンテンツデータを解析し、画像再生部１１１によって画像データへのデコード処理を行い、音声再生部１１２によって再生するデジタル音声データへのデコード処理を行う。
【００４８】
画像出力制御部１１３は、画像再生部１１１によって再生順にデコードされたデジタル画像データを所定のフレームレートにて画像処理を行い、画像表示部２０への出力信号形式に併せた画像信号への変換処理を行う。
【００４９】
音声出力制御部１１４は、音質調節部１１６、音量調節部１１５を具備し、音声再生部１１２によって再生順にデコートされたデジタル音声信号をアナログ音声信号に変換し、音質調節部１１６により所定の周波数帯域に対してフィルタリング処理等を行って音質の調節を行い、音量調節部１１５にて音声信号の増幅処理を行って音声出力部３０に出力する。  また、音量調節部１１５は、制御部１０１に接続された音量コントローラ（図示せず）を操作することによる手動での音量調節制御、制御部１０１からの制御信号により自動での音量調節制御を行う。
【００５０】
また、音質調節部１１６においても、制御部１０１に接続された音質コントローラ（図示せず）を操作することによる手動での音質調節制御、制御部１０１からの制御信号にりる自動での音質調節制御を行う。
【００５１】
さらに、音量調節部１１５は、制御部１０１からの制御信号によって、音声出力部３０のスピーカ（Ｌ）３１、スピーカ（Ｒ）３２、スーパーウーハ３３ぞれぞれに対し、音量レベルを個別に調節する制御を行う。
【００５２】
印刷制御部１１７は、撮像用カメラ８１で撮像された画像を印刷部８２よって写真８３としてプリントするための画像処理、印刷制御を行う。
【００５３】
照明制御部１１８は、自動撮像装置１００外部に設置される広告塔を電飾するキセノンランプ等の照明部８４の点燈、消灯、輝度を調節する。
【００５４】
次に、音量の自動調節制御に関する各種パラメータについて説明する。
【００５５】
図４は、自動撮像装置１００が曜日や時間帯によって、音声出力部３０て出力される音声の音量もしくは音質の自動調節制御に関する設定パラメータの一例を示した図である。
【００５６】
図４（Ａ）は、一日を４つの時間帯に分割するとともに、分割のパターンを「平日１」、「平日２」、「休日」といった３つを設けた時の例を示した表である。
【００５７】
図４（Ｂ）は、図４（Ａ）で設定した３つの分割パターンを各曜日に割り当てた例を示した表示である。
【００５８】
図４（Ｃ）は、図４（Ａ）にて設定した分割パターン毎の各時間帯において、各時間帯における音質レベル、音量レベルを個別に設定した例を示した表である。
【００５９】
各ブロックに設定される音量レベルは、例えば、図４（Ｄ）に示すように、設定した音量レベルの高い順に「音量設定Ａ」、「音量設定Ｂ」、「音量設定Ｃ」の３段階のレベルを設け、例えば、図４（Ｃ）において、「平日１」の「時間帯Ｂ」においては、「音量設定ルＣ」を設定し、比較的ヒトの混雑が予想される「平日１」の「時間帯Ｃ」、「休日」の「時間帯Ｂ」においては「音量設定Ａ」を設定する。
【００６０】
また、図４（Ｅ）は、音質の設定に関する表であり、再生する音質の特徴を示すパターンを、音声信号を構成する周波数帯域を「低音域」、「中音域」、「高音域」の３つに分けて、各帯域の調整量を１０段階で設定した例したレベルで示した表である。
【００６１】
これにより、図４（Ｅ）の表において、例えば、「音質設定Ｄ」の場合は、「低音域」、「高音域」が強調される設定なので、迫力ある広告映像の再生時に適用される設定である。
【００６２】
なお、図４に示した各表の設定以外に、時間帯、曜日、日付等によって音量、音質の出力レベルを個別に設定できる構成であれは、これらの表示に示した、時間帯の分割数、音量レベル、音質レベルの帯域数等に限定されない。
【００６３】
また、図４（Ｂ）は、時間帯の分割パターンを曜日毎に割り当てる方法を示したが、これ以外に、カレンダを使用して、日付別に分割パターンを割り当てる方法にしても良い。  次に、コンテンツの再生に関する設定パラメータについて説明する。
【００６４】
図５は、コンテンツの再生に関する各種設定パラメータの例を示した図である。
【００６５】
図５（Ａ）は、コンテンツを繰り返して再生する場合のインターバル時間と再生の１サイクルとして再生するコンテンツの再生順を設定した例を示す表であり、再生モード１、再生モード２、再生モード３といった順で再生間隔が短くなる３段階の再生モードを設定した例である。
【００６６】
図５（Ｂ）は、図４（Ｃ）に示した各時間帯のうちコンテンツの再生を行う時間帯毎に、図５（Ａ）で設定したコンテンツの再生モードを設定した例を示した表である。
【００６７】
図５（Ｂ）において、例えば、設置場所付近において比較的人が閑散となる「平日１」の「時間帯Ｂ」、「休日」の「時間帯Ｃ」においては、再生間隔を比較的長めに設定する「再生モード１」を設定し、設置場所付近において比較的人が混雑する「平日２」の「時間帯Ｃ」、「休日」の「時間帯Ｂ」においては、再生回数を稼ぐために再生間隔の短い再生モードを設定する。
【００６８】
次に、図１に示した監視カメラ５１、ヒトセンサ５２、周囲音センサ５３等、ヒトの検出を行うセンサと、センサ検出に伴う自動音量調節制御に関する各種パラメータについて説明する。
【００６９】
図６（Ａ）は、図４（Ａ）にて設定した各時間帯において、各種センサの検出を有効にする時間帯を設定して管理した場合の表である。
【００７０】
図６（Ａ）において、自動撮像装置１００が設定される店舗の営業時間帯に相当する「時間帯Ｂ」、「時間帯Ｃ」の時間帯は各センサの検出を「有効」に設定し、それ以外の時間帯においては、管理カメラのみ有効に設定した時の例である。
【００７１】
なお、自動撮像装置１００外部に設置されたボタンの無駄な検出を防止するために、図６に示したセンサ以外に、音量調節ボタン６０等の有効・無効設定を追加して管理する構成にしても良い。
【００７２】
図６（Ｂ）は、時間帯によらず、ヒトセンサ５２、監視カメラ５１によって、監視領域におけるヒトを検知したときに自動調節を行う音量、音質レベルの設定を行った例を示す表である。
【００７３】
図６（Ｃ）は、周囲音センサ５３が定期的に自動撮像装置１００の設置場所付近のノイズレベルを検出し、検出したノイズレベルが、所定の基準値Ａ、基準値Ｂ（基準値Ａ  ＜  基準値Ｂ）に対してどのレベルかを判断し、音量、音質の調節レベルを設定した例を示す表である。
【００７４】
例えば、基準値Ａよりも検出したノイズレベルが低い場合、音量レベルを低く設定し、音質に関しては、低音域、高音域を抑えた設定にする。
【００７５】
一方、基準値Ｂを超えたノイズレベルを検出した場合、時間帯にもよるが、再生する音声が周囲の騒音に埋もれることがないように、音量レベルを高くし、さらに、低音、高音を強調する音質の設定を行う。
【００７６】
次に、図１に示した監視カメラ５１、ヒトセンサ５２、周囲音センサ５３の各センサおよび、音量調節ボタン６０の操作により、音量レベルの調節を行った後に、音量レベルをもとの設定レベルに自動で戻すための設定パラメータの設定について説明する。
【００７７】
図７は、音量もしくは音質を設定パラメータの設定値以外のレベルに一時的に調節制御を実施した後、設定パラメータの初期レベルの音量もしくは音質に戻すタイミングを各種センサおよび音量調節ボタンに対して個別に設定した時の例を示す表である。
【００７８】
図７の表は、音量の自動調節制御が、監視カメラ５１、ヒトセンサ５２、周囲音センサ５３、音量調節ボタン６０の何れからの検出トリガにて処理されたを示す「検出トリガ」と、各「検出トリガ」に設定された自動復帰制御の設定が現在、有効あるいは無効であるかを設定する「自動復帰設定」と、自動復帰制御の開始時期を示す「復帰制御開始時期」で構成される。
【００７９】
例えば、監視カメラ５１においては、監視領域を撮影した画像を所定のブロック数で分割し、各ブロック領域の画像を解析することで、監視領域におけるヒトの状態を監視しているので、万一、監視領域からヒトが退去した場合、同時に、初期レベルの音量、もしくは音質レベルに戻す調節制御を開始する。
【００８０】
監視カメラ５１以外のヒトセンサ５２、周囲音センサ５３、音量調整ボタン６０の操作をトリガとする音量調節制御に関しては、コンテンツの１回の再生サイクルが完了した時点、もしくは、次の再生サイクルの開始直前において、音量、音質を初期レベルに戻す自動復帰制御を開始する設定であることを示している。
【００８１】
また、周囲音センサ５３をトリガとする音量調節制御に関しては、調整制御実施後、仮に、ノイズレベルが所定の基準値以下となった場合においても、再生サイクルの監視による自動復帰は行わない設定とする「ＯＦＦ」に設定したことを示している。
【００８２】
次に、コンテンツの再生制御および音量の自動調節制御について、図３に示した符号を用いて説明する。
【００８３】
図８は、コンテンツ再生制御の手順を示したフローチャートである。
【００８４】
制御部１０１は、記憶部１０２に記憶した設定パラメータに基づいて、コンテンツの再生開始時期をタイマにより監視する（ステップＳ１０１）。
【００８５】
タイマからの割り込みを検知すると（ステップＳ１０１でＹＥＳ）、制御部１０１は、記憶部１０２の設定パラメータに記憶した現在時刻に属する時間帯の再生モードを取得し（ステップＳ１０２）、再生するコンテンツデータの取得先を特定する（ステップＳ１０３）。
【００８６】
ここで、音声出力制御部１１４に対する一時的な音量もしくは音質の調節制御が行われ、かつ、現在時刻が属する時間帯に設定された初期レベルに戻すフラグ設定が有効であるかを判断する（ステップＳ１０４）。
【００８７】
フラグ設定が有効である場合（ステップＳ１０４でＹＥＳ）、制御部１０１は、音量レベルを現在の時間帯に設定された音量、音質に戻す制御信号を記憶部１０２の設定パラメータから特定し、音声出力制御部１１４に出力する（ステップＳ１０５）。
【００８８】
制御部１０１は、ステップＳ１０３で特定したコンテンツデータの取得先からコンテンツデータを読み出し、画像データ、音声データの再生を開始するようコンテンツ再生部１１０に指示する（ステップＳ１０６）。
【００８９】
コンテンツ再生部１１０による１回の再生サイクルが完了すると（ステップＳ１０７でＹＥＳ）、現在時刻がコンテンツの再生処理を行う時間帯であるかを判断する（ステップＳ１０８）。
【００９０】
現在時刻が再生モードが設定された時間帯から外れた場合（ステップＳ１０８でＹＥＳ）、制御部１０１は、コンテンツ再生処理を終了する。
【００９１】
コンテンツの再生処理を引き続き行う場合（ステップＳ１０８でＮＯ）、制御部１０１は、ステップＳ１０１に戻り、再生モードに設定された再生間隔によって次の再生開始時期を監視する。
【００９２】
次に、音量の自動調節制御について説明する。
【００９３】
図９は、時間帯毎に設定された音量レベルにて自動調節を行う場合の処理を示したフローチャートである。
【００９４】
制御部１０１は、記憶部１０２に記憶した設定パラメータに設定された各時間帯の切り替わり時期をタイマにより監視する（ステップＳ２０１）。
【００９５】
タイマによる時間帯の切り替わり時期を検出した場合（ステップＳ２０１でＹＥＳ）、  制御部１０１は、現在時刻が属する時間帯に設定された音質設定を記憶部１０２から取得し（ステップＳ２０２）、取得した音質設定にて音声出力制御部１１４を制御するための制御信号を生成し（ステップＳ２０３）、生成した制御信号を音声出力制御部１１４に出力する（ステップＳ２０４）。
【００９６】
制御部１０１は、現在時刻が属する時間帯に設定された音量設定レベルを記憶部１０２から取得し（ステップＳ２０５）、取得した音量レベルにて音声出力制御部１１４を制御するための制御信号を生成し（ステップＳ２０６）、生成した制御信号を音声出力制御部１１４に出力する（ステップＳ２０７）。
【００９７】
引き続き次の時間帯への切り替わり時期を監視する場合（ステップＳ２０８でＹＥＳ）制御部１０１は、ステップＳ１０１に戻り、次の時間帯の開始時刻を監視する。
【００９８】
時間帯による音量、音質の自動調節制御を終了する場合（ステップＳ２０８でＮＯ）、制御部１０１は、タイマ監視を中止して処理を終了する。
【００９９】
次に、監視カメラによるヒト検出時の音量、音質の自動調節制御について説明する。
【０１００】
図１０は、監視カメラによってヒトを検知したときの音量自動調節制御の手順を示したフローチャートである。
【０１０１】
制御部１０１は、監視カメラ５１による監視画像を所定の数のブロック毎に分割して解析し、監視領域におけるヒトの進入を監視する（ステップＳ３０１）。
【０１０２】
ヒトの進入を検知した場合（ステップＳ３０１でＹＥＳ）、制御部１０１は、記憶部１０２に記憶した設定パラメータに設定されたヒト検出時の、音質設定レベル、音量レベルに調節するための制御信号を生成して音声出力制御部１１４に出力する（ステップＳ３０２）。
【０１０３】
制御部１０１は、監視カメラ５１にて監視される領域に進入したヒトの退去を監視する（ステップＳ３０３）。
【０１０４】
監視領域にヒトが存在し、かつ、ヒト退去の監視タイムアウトが発生しない間（ステップＳ３０４でＮＯ、ステップＳ３０５でＮＯ）、制御部１０１は、ステップＳ３０３のヒト監視制御を引き続き行う。
【０１０５】
ヒトの退去を検出した場合（ステップＳ３０４でＹＥＳ）、あるいは、監視タイムアウトが発生した場合（ステップＳ３０５でＹＥＳ）、制御部１０１は、現在時刻に属する時間帯に設定された音量、音質の初期レベルを記憶部１０２から取得し、取得した初期レベルに戻すための制御信号を生成して音声出力制御部１１４に出力する（ステップＳ３０６）
制御部１０１は、現在時刻を取得して、記憶部１０２に記憶した設定パラメータに設定された監視カメラ５１による監視時間帯であるかを判断し（ステップＳ３０７）、監視時間帯の間は（ステップＳ３０７でＮＯ）、ステップＳ１０１に戻り、ヒトの進入を監視する。一方、監視時間帯を過ぎた場合は（ステップＳ３０７でＹＥＳ）、制御部１０１は、監視カメラ５１によるヒトの監視を中止して処理を終了する。
【０１０６】
なお、ステップＳ３０１に示した、ヒトの進入を監視する処理において、ヒトを検出した時刻が属する時間帯がコンテンツの再生を行っている時間帯かを判断し、コンテンツ再生時間帯においてのみ音量の自動調節制御を行うようにしても良い。
【０１０７】
また、監視領域におけるヒトの進入、退去をトリガとして処理を行う方法以外に、一定時間以上のヒトの滞在時間、顔認識等を使用したヒトの混雑状況等、映像解析の手法に応じたトリガ検出方法を使用して処理しても良い。
【０１０８】
次に、ヒトセンサによる音量自動調節制御について説明する。
【０１０９】
図１１は、ヒトセンサ５２によって監視領域にヒトが進入した場合の処理手順を示すフローチャートである。
【０１１０】
制御部１０１は、センサ接続インタフェース１０５を介してヒトセンサ５２におけるヒトの検出信号を受信すると、記憶部１０２に記憶した設定パラメータのセンサ別の有効設定を参照し、ヒトセンサ５２の検出トリガが現在有効であるかを判断する（ステップＳ４０１）。
【０１１１】
ヒトセンサ５２の検出トリガが無効に設定されている場合（ステップＳ４０１でＮＯ）、自動制御部１０１は、検出トリガを廃棄して処理を終了する。
【０１１２】
ヒトセンサ５２が有効である場合（ステップＳ４０１でＹＥＳ）、制御部１０１は、現在時刻に属する時間帯に設定されたヒトセンサ５２によるヒトを検出した際に調節する音量レベル、音質設定レベルを記憶部１０２の設定パラメータから取得する（ステップＳ４０２）。
【０１１３】
制御部１０１は、ステップＳ４０２で取得した音量レベル、音質設定レベルにて音声出力制御部１１４を調節するための制御信号を生成し（ステップＳ４０３）、生成した制御信号を音声出力制御部１１４に出力する（ステップＳ４０４）。
【０１１４】
制御部１０１は、音声調節制御実施後の自動復帰設定の有無を、記憶部１０２に記憶した設定パラメータを参照して判断する（ステップＳ４０５）。
【０１１５】
音量若しくは音質の自動復帰設定が有る場合（ステップＳ４０５でＹＥＳ）、音声自動復帰制御の実施を有効にするフラグをセットして処理を終了する（ステップＳ４０６）。音量若しくは音質の自動復帰設定が無い場合、制御部１０１は処理を終了する（ステップＳ４０５でＮＯ）
なお、ヒトセンサ５２によるヒトの監視領域は、自動撮像装置１００の周辺以外に、証明写真の撮像領域を監視するようにし、撮像領域内にヒト進入した場合は、音声出力部３０の音量を下げる調節を行って、撮像のガイダンス等を聞き取り易くする調節制御を行うようにしても良い。
【０１１６】
次に、周囲音検出時の音量、音質の自動調節制御について説明する。
【０１１７】
図１２は、周囲音センサ５３により自動撮像装置１００の設置場所付近におけるノイズレベルを検出するとともに、検出したノイズレベルに基づいて、音量レベル、音質の調節を行う場合の処理手順を示したフローチャートである。
【０１１８】
制御部１０１は、記憶部１０２に記憶された所定の間隔にてタイマ監視を行い（ステップＳ５０１）、タイマの割り込みイベントが発生すると（ステップＳ５０１でＹＥＳ）、周囲音センサ５３からの検出信号を解析してノイズレベルを検出する（ステップＳ５０２）。
【０１１９】
ステップＳ５０２での解析結果において、音質の自動調節制御が必要であると判断した場合（ステップＳ５０３でＹＥＳ）、制御部１０１は、検出したノイズレベルと、所定の判断基準値に基づいて、調節する音質設定レベルを決定し、決定した音質にて音声出力制御部１１４を制御するための制御信号を生成して音声出力制御部１１４に出力する（ステップＳ５０４）。
【０１２０】
ステップＳ５０２での解析結果において、音量の自動調節制御が必要であると判断した場合（ステップＳ５０５でＹＥＳ）、制御部１０１は、検出したノイズレベルと、所定の判断基準値に基づいて、調節する音量レベルを決定し、決定した音量にて音声出力制御部１１４を制御するための制御信号を生成して音声出力制御部１１４に出力する（ステップＳ５０６）。
【０１２１】
また、音声出力部３０におけるスピーカ（Ｌ）３１、スピーカ（Ｒ）３２、スーパーウーハ３３毎の音量レベルが記憶部１０２に記憶された設定パラメータに設定されている場合（ステップＳ５０７でＹＥＳ）、制御部１０１は、個別の音量レベルにて音量を調節するための制御信号を生成して、音声出力制御部１１４に出力する（ステップＳ５０８）。
【０１２２】
記憶部１０２に記憶された設定パラメータにおいて、周囲音センサ５３による周囲音の監視時間帯である間（ステップＳ５０９でＮＯ）、制御部１０１は、ステップＳ５０１に戻り継続して周囲音レベルの監視を行い、監視時間帯から外れた場合は（ステップＳ５０９でＹＥＳ）、周囲音レベルの監視を終了する。
【０１２３】
次に、ボタン操作による音量の調節を行う場合の処理について説明する。
【０１２４】
図１３は、音量調節ボタン６０操作検出時の音量調節制御の手順を示したフローチャートである。
【０１２５】
制御部１０１は、音量調節ボタン６０の操作信号をボタン操作検出部１０６から受信すると、記憶部１０２に記憶した設定パラメータを参照し、現在時刻が属する時間帯におけるボタン操作の有効、無効設定を判断する（ステップＳ６０１）。
【０１２６】
ボタン操作が無効である場合（ステップＳ６０１でＮＯ）制御部１０１は、ボタン操作の検出信号を廃棄して処理を終了し、ボタン操作が有効である場合（ステップＳ６０１でＹＥＳ）、制御部１０１は、コンテンツの再生中、あるいは、再生時間帯であるかを判断する（ステップＳ６０２）。
【０１２７】
記憶部１０２の設定パラメータにてボタン操作が無効に設定されている場合（ステップＳ６０１でＮＯ）、あるいは、コンテンツが再生中でない場合（ステップＳ６０２でＮＯ）、制御部１０１は、音量調節ボタン６０の操作イベントを廃棄して処理を終了する。
【０１２８】
コンテンツ再生中である場合（ステップＳ６０２でＹＥＳ）、制御部１０１は、音声出力制御部１１４に現在設定されている出力音量レベルを取得し（ステップＳ６０３）、取得した現在の出力音量レベルと、受信した音量調節ボタン６０の操作信号から調節後の出力音量レベルを算出する（ステップＳ６０４）。
【０１２９】
制御部１０１は、ステップＳ６０４で算出した音量レベルに調節するための制御信号を生成し（ステップＳ６０５）、制御信号を音声出力制御部１１４に出力する（ステップＳ６０６）。
【０１３０】
制御部１０１は、記憶部１０２に記憶した設定パラメータを参照し、音量調節ボタン６０による音量調節後の自動復帰制御の設定の有無を判断する（ステップＳ６０７）。
【０１３１】
自動復帰制御の設定がある場合（ステップＳ６０７でＹＥＳ）、制御部１０１は、自動復帰制御の監視フラグを設定し（ステップＳ６０８）て処理を終了する。
【０１３２】
なお、図１３の処理フローは、ユーザのボタン操作によって、音量レベルを一次的に変更する処理の例を示したが、音質に対しても、いくつかの音質パターンを選択するボタン操作によってユーザが一次的に音質設定を変更できるようにしても良い。
【０１３３】
次に、自動撮像装置１００がセンタ装置２００と接続した場合の制御について説明する。
【０１３４】
図１４は、自動撮像装置１００に接続されたセンタ装置２００との間において、自動撮像装置１００が、設定パラメータの更新データ、再生用コンテンツのデータ受信制御、を行う場合の処理手順を示したフローチャートである。
【０１３５】
ネットワーク３００経由によりセンタ装置２００から送信されるデータを、ネットワーク制御部１０４を介して受信すると、制御部１０１は、受信データを解析する（ステップＳ７０１）
受信データがセンタ装置２００からの遠隔コマンドである場合（ステップＳ７０２でＹＥＳ）、遠隔コマンドの解析処理を行う（ステップＳ７０３）。
【０１３６】
制御部１０１は、ステップＳ７０３のコマンド解析の結果により例えば、音声出力制御部１１４における音量の調節レベルを変更するコマンドである場合、コマンドの引数にて指定された音量レベルに基づいて制御信号を生成し、生成した制御信号を音声出力制御部１１４に出力する（ステップＳ７０４）。
【０１３７】
受信データが、設定パラメータである場合（Ｓ７０６でＹＥＳ）、制御部１０１は、記憶部１０２に対して、受信した設定パラメータを追加して記憶する、もしくは既存の設定パラメータを更新する（ステップＳ７０７）。
【０１３８】
受信データが再生用コンテンツのデータである場合（ステップＳ７０８でＹＥＳ）、制御部１０１は、受信した再生用コンテンツが記憶部１０２に既にある場合は、再生用コンテンツを更新し、記憶部１０２に記憶されていない場合は、再生用コンテンツのデータ登録処理を行う（ステップＳ７０９）。
【０１３９】
ステップＳ７０４の遠隔コマンドによるコマンド制御による音量調節制御、ステップＳ７０７による設定パラメータの更新、ステップＳ７０９における再生用コンテンツの登録、更新処理が完了すると、制御部１０１は、受信データに対する処理結果を含む応答データをセンタ装置２００に送信する（ステップＳ７０５）。
【０１４０】
なお、ステップＳ７０３に示した遠隔コマンドの解析処理、遠隔コマンドに対する制御は、センタ装置２００による自動撮像装置１００の遠隔制御および監視に必要なコマンドであれば、例えば、監視カメラ５１の監視映像をセンタ装置２００にアップロードする等、音量の自動調節制御に限定されず各コマンドに対応した制御を適宜行う構成にしても良い。
【産業上の利用可能性】
【０１４１】
自動撮像装置の設置場所において、早朝、深夜等、特定の時間帯において騒音規制が施行されていたり、設置場所提供者との設置契約などで、時間帯、曜日によって音声、映像の出力規制などが指定されている場合に有効である。
【０１４２】
また、設置場所付近のヒトの通行量や、ノイズレベル等を考慮した訴求効果の高い広告機能を、設置場所提供者、あるいは、広告依頼主から自動撮像装置に付加することが要求されている場合において有効である。
【０１４３】
また、装置提供者側においては、広告機能を提供する対価として、有利な設置場所を確保したい場合、設置費を削減もしくは無料にする等の要望がある場合において有効である。
【図面の簡単な説明】
【０１４４】
【図１】本発明に係る自動撮像装置の外観図である。
【図２】自動撮像措置がネットワーク環境にて遠隔監視制御される際の接続構成例を示す概略図である。
【図３】自動撮像装置の制御構成を示すブロック図である。
【図４】自動撮像装置が曜日や時間帯によって音量の自動調節を行う為の設定パラメータの例を示した図である。
【図５】コンテンツの再生に関する各種設定パラメータの例を示した図である。
【図６】各種センサの検出トリガの有効、無効を時間帯毎に個別設定して管理する設定パラメータの例を示した表である。
【図７】音量の調節制御実施後に、パラメータ設定されたレベルの音量に戻すタイミングを各種センサに対して個別に設定した例を示す表である。
【図８】コンテンツ再生制御の手順を示したフローチャートである。
【図９】時間帯毎に設定された音量レベルにて自動調節を行う場合の処理を示したフローチャートである。
【図１０】監視カメラによってヒトを検知したときの音量自動調節制御の手順を示したフローチャートである。
【図１１】ヒトセンサによってヒトを検知したときの音量自動調節制御の手順を示したフローチャートである。
【図１２】周囲音センサにより設置場所付近のノイズレベルを検出し、検出したノイズレベルに基づいて、音量レベルの調節を行う場合の処理手順を示したフローチャートである。
【図１３】音量調節ボタンの操作検出制御の手順を示すフローチャートである。
【図１４】自動撮像装置がセンタ装置からのデータを受信した際の処理手順を示すフローチャートである。
【符号の説明】
【０１４５】
１００    自動撮像装置
１０１    制御部
１０２    記憶部
１０３    無線通信制御部
１０４    ネットワーク制御部
１０５    センサ接続インタフェース
１０６    ボタン操作検出部
１０７    記憶媒体読み取り部
１０８    課金制御部
１０９    撮像制御部
１１０    コンテンツ再生部
１１１    画像再生部
１１２    音声再生部
１１３    画像出力制御部
１１４    音声出力制御部
１１５    音量調節部
１１６    音質調節部
１１７    印刷制御部
１１８    照明制御部
２００    センタ装置
３００    ネットワーク
２０    画像表示部
２１    ポスタ掲載部
２２    発行物頒布部
３０    音声出力部
３１    スピーカ（Ｌ）
３２    スピーカ（Ｒ）
３３    スーパーウーハ
５０    センサ部
５１    監視カメラ
５２    ヒトセンサ
５３    周囲音センサ
６０    音量調節ボタン
７０    記憶媒体
８０    料金投入口
８１    撮像用カメラ
８２    印刷部
８３    写真
８４    照明部
【図１】
2005300754.tif 000003
【図２】
2005300754.tif 000004
【図３】
2005300754.tif 000005
【図４】
2005300754.tif 000006
【図５】
2005300754.tif 000007
【図６】
2005300754.tif 000008
【図７】
2005300754.tif 000009
【図８】
2005300754.tif 000010
【図９】
2005300754.tif 000011
【図１０】
2005300754.tif 000012
【図１１】
2005300754.tif 000013
【図１２】
2005300754.tif 000014
【図１３】
2005300754.tif 000015
【図１４】
2005300754.tif 000016